(57)【要約】【課題】部品不良または異常な高水圧などの悪条件下においても水漏れの発生を少なくする。【解決手段】給水部６の開口端部９ｂの内外に位置する内部材１１と外部材１２とを有し、開口部９ｃを水密に密閉する。そして、内部材１１と給水部６とをねじ結合する第一のねじ対２１と、外部材１２と給水部６とをねじ結合する第二のねじ対２２との二重のねじ結合によって、開口部９ｃが密閉される。この構成により、部品不良または異常な高水圧などの悪条件下においても水漏れの発生を少なくすることができる。【選択図】図３
2006022637.tif 000002
【特許請求の範囲】
【請求項１】
人体の局部を洗浄する洗浄部と、開口部を有し前記洗浄部へ水を給水する給水部と、を有する便器上に設けられた本体と、前記洗浄部へ供給する水を水道配管から給水する給水管と、前記開口部を水密に密閉する配管用栓体と、を備え、前記配管用栓体は、前記給水部の開口端部の内外に位置する内部材と外部材とを有し、前記内部材と前記給水部とをねじ結合する第一のねじ対と、前記外部材と前記給水部とをねじ結合する第二のねじ対との二重のねじ結合によって前記開口部が密閉されるトイレ装置。
【請求項２】
配管用栓体は、給水管に装備され、前記給水管と給水部とを水密に接合する連結管である請求項１に記載のトイレ装置。
【請求項３】
第一のねじ対は、給水部内面に設けられた第一の雌ねじと、内部材外面に設けられた第一の雄ねじと、により構成される請求項１に記載のトイレ装置。
【請求項４】
第二のねじ対は、外部材内面に設けられた第二の雌ねじと、給水部外面に設けられた第二の雄ねじと、により構成される、請求項１または３に記載のトイレ装置。
【請求項５】
第一のねじ対のねじピッチと第二のねじ対のねじピッチとが等しい請求項１に記載のトイレ装置。
【請求項６】
内部材と外部材とは分離可能に形成され、互いが軸方向に移動可能に係止された請求項１に記載のトイレ装置。
【請求項７】
内部材と外部材との軸方向の移動可能距離が、第一のねじ対のねじピッチの１ピッチ分以上である請求項６に記載のトイレ装置。
【請求項８】
内部材と外部材との軸方向の移動可能距離が、第一のねじ対のねじピッチの２ピッチ分以下である請求項７に記載のトイレ装置。
【請求項９】
第一のねじ対のねじ結合の噛み合い始まり位置と第二のねじ対のねじ結合の噛み合い始まり位置とは、同位置である請求項１に記載のトイレ装置。
【請求項１０】
第一のねじ対のねじ結合の噛み合い始まり位置と第二のねじ対のねじ結合の噛み合い始まり位置とは、異なる位置である請求項１に記載のトイレ装置。
【請求項１１】
給水部は、前記給水部外面の先端に設けられ、第二の雄ねじのねじ山の外径よりも小さい外径を有するガイドを備えた請求項１に記載のトイレ装置。
【請求項１２】
給水部は、第二の雄ねじの終端部に設けられた鍔状の突起部を備えた請求項１に記載のトイレ装置。
【請求項１３】
内部材はつめ部を有し、外部材は孔部を有し、前記つめ部が前記孔部に嵌合されて、前記内部材と前記外部材とが結合される請求項１に記載のトイレ装置。
【請求項１４】
配管用栓体は、外周部にグリップを有する請求項１に記載のトイレ装置。
【請求項１５】
給水部は、Ｌ字水路を有し、本体の後方から下方の方向において、給水管が前記Ｌ字水路を介して前記本体に結合される請求項１に記載のトイレ装置。
【請求項１６】
配管用栓体は、内部にフィルターを備えた請求項１に記載のトイレ装置。
【請求項１７】
フィルターは、配管用栓体から着脱可能に設けられた請求項１６に記載のトイレ装置。
【請求項１８】
配管用栓体と給水部との隙間を密閉するシール材をさらに備えた請求項１に記載のトイレ装置。
【請求項１９】
配管用栓体は、給水部へ着脱可能に接合され、開口部を密閉する水抜き栓である請求項１に記載のトイレ装置。
【発明の詳細な説明】
【技術分野】
【０００１】
本発明は、人体の局部を洗浄する洗浄部を有したトイレ装置に関するものである。
【背景技術】
【０００２】
従来、この種のトイレ装置は、水道配管から分岐された給水管と、洗浄部を有するトイレ装置本体の給水部との接続において、給水部に水抜き栓がねじ結合されている（例えば、特許文献１参照）。
【特許文献１】特開２００１−２００５７０号公報
【発明の開示】
【発明が解決しようとする課題】
【０００３】
しかしながら、前記従来の構成では、水抜き栓のねじ山が少ないなどの形状不完全な加工不良の水抜き栓が使われた場合に、経年的な水圧変動の影響によってねじが劣化し、さらに、破損した場合に結合部から水漏れが発生しやすい。それは、初期的に、耐水圧性能が確保されていても、起こりうる。
【０００４】
また、凍結防止などの水抜き作業のため、水抜き栓を外して水を抜いた後、再度水抜き栓を締める場合、不完全なねじ結合の状態で使用される可能性がある。その場合、水道元圧のウォーターハンマー現象などにより、異常な高水圧が加わると、水抜き栓が外れて水漏れする。
【課題を解決するための手段】
【０００５】
前記従来の課題を解決するために、本発明のトイレ装置は、便器上に設けられた本体と給水管と配管用栓体とを備える。本体は、人体の局部を洗浄する洗浄部と、開口部を有し、洗浄部へ水を給水する給水部とを有する。給水管は、洗浄部へ供給する水を水道配管から給水する。配管用栓体は、給水部の開口端部の内外に位置する内部材と外部材とを有し、開口部を水密に密閉する。
【０００６】
そして、内部材と給水部とをねじ結合する第一のねじ対と、外部材と給水部とをねじ結合する第二のねじ対との二重のねじ結合によって、開口部が密閉される。この構成により、部品不良または異常な高水圧などの悪条件下においても水漏れの発生が少なくなる。
【発明の効果】
【０００７】
本発明のトイレ装置は、部品不良または異常な高水圧などの悪条件下においても水漏れの発生を少なくすることができる。
【発明を実施するための最良の形態】
【０００８】
第１の発明は、人体の局部を洗浄する洗浄部と、開口部を有し洗浄部へ水を給水する給水部と、を有する便器上に設けられた本体と、洗浄部へ供給する水を水道配管から給水する給水管と、開口部を水密に密閉する配管用栓体と、を備え、配管用栓体は、給水部の開口端部の内外に位置する内部材と外部材とを有し、内部材と給水部とをねじ結合する第一のねじ対と、外部材と給水部とをねじ結合する第二のねじ対との二重のねじ結合によって開口部を密閉することにより、たとえ一方のねじ結合が不完全となっても他方のねじ結合があるため、給水部の結合を保持することができる。
【０００９】
第２の発明は、特に、第１の発明のトイレ装置において、配管用栓体は、給水管に装備され、給水管と給水部とを水密に接合する連結管とすることにより、一体として使用でき、作業を簡便にすることができる。
【００１０】
第３の発明は、特に、第１の発明のトイレ装置において、第一のねじ対は、給水部内面に設けられた第一の雌ねじと、内部材外面に設けられた第一の雄ねじとで構成することにより、一体として構成することができる。
【００１１】
第４の発明は、特に、第１または第３の発明のトイレ装置において、第二のねじ対は、外部材内面に設けられた第二の雌ねじと、給水部外面に設けられた第二の雄ねじととで構成することにより、一体として構成することができる。
【００１２】
第５の発明は、特に、第１の発明のトイレ装置において、第一のねじ対のねじピッチと第二のねじ対のねじピッチとを等しくすることにより、結合時のねじの進行が滑らかとなり、容易に締め付けを行うことができる。
【００１３】
第６の発明は、特に、第１の発明のトイレ装置において、内部材と外部材とは分離可能に形成し、互いを軸方向に移動可能に係止することにより、ねじ対の噛み合い始まり時に自由度があり、容易に締め付け開始を行うことができる。
【００１４】
第７の発明は、特に、第６の発明のトイレ装置において、内部材と外部材との軸方向の移動可能距離を、第一のねじ対のねじピッチの１ピッチ分以上とすることにより、ねじ対の噛み合い始まり位置に自由度ができ、ねじの噛み合い始まり位置を気にせずにねじ結合を行うことができる。
【００１５】
第８の発明は、特に、第７の発明のトイレ装置において、内部材と外部材との軸方向の移動可能距離を、第一のねじ対のねじピッチの２ピッチ分以下とすることにより、ねじ対の噛み合い始まり位置に余裕が大きくなり、ねじの噛み合い始まり位置を気にせずにねじ結合を行うことができる。
【００１６】
第９の発明は、特に、第１の発明のトイレ装置において、第一のねじ対のねじ結合の噛み合い始まり位置と第二のねじ対のねじ結合の噛み合い始まり位置とを同位置とすることにより、ねじ締め付け時に、ねじの回転回数を少なくすることができる。
【００１７】
第１０の発明は、特に、第１の発明のトイレ装置において、第一のねじ対のねじ結合の噛み合い始まり位置と第二のねじ対のねじ結合の噛み合い始まり位置とを異なる位置とすることにより、一度に２対のねじが噛み合うのではなく、順次ねじが噛み合うため、締め付け時の結合摩擦を小さくすることができる。
【００１８】
第１１の発明は、特に、第１の発明のトイレ装置において、給水部を給水部外面の先端に設け、第二の雄ねじのねじ山の外径よりも小さい外径を有するガイドを備えることにより、第１２の発明は、特に、第１の発明のトイレ装置において、給水部に、第二の雄ねじの終端部に設けられた鍔状の突起部を備えることにより、確実な締め付けを行うことができる。
【００１９】
第１３の発明は、特に、第１の発明のトイレ装置において、内部材はつめ部を有し、外部材は孔部を有し、つめ部を孔部に嵌合し、内部材と外部材とを結合させることにより、可動する内部材と外部材の製作が容易となる。
【００２０】
第１４の発明は、特に、第１の発明のトイレ装置において、配管用栓体は、外周部にグリップを有することにより、締め付け作業時に、確実な締め付けを行うことが容易となる。
【００２１】
第１５の発明は、特に、第１の発明のトイレ装置において、給水部は、Ｌ字水路を有し、本体の後方から下方の方向において、給水管をＬ字水路を介して本体に結合することにより、トイレ装置の横幅を小さくすることができ、狭いトイレにも対応することができる。
【００２２】
第１６の発明は、特に、第１の発明のトイレ装置において、配管用栓体の内部にフィルターを備えることにより、使用者による抜き差しが行われるフィルター部においても、結合を確実にすることができ、不慣れな使用者の作業であっても水漏れを防ぐことができる。
【００２３】
第１７の発明は、特に、第１６の発明のトイレ装置において、フィルターを配管用栓体から着脱可能に設けることにより、フィルター自体の掃除が簡単に行え、かつ結合を確実にすることができ、不慣れな使用者の作業であっても水漏れを防ぐことができる。
【００２４】
第１８の発明は、特に、第１の発明のトイレ装置において、配管用栓体と給水部との隙間を密閉するシール材を備えることにより、給水部（給水管）と栓体本体とが密閉を保持したまま別々に回転し、締め付け時に給水管が回転したり捻れたりしないため、給水部のみで着脱を簡便に行うことができる。
【００２５】
第１９の発明は、特に、第１の発明のトイレ装置において、配管用栓体を、給水部へ着脱可能に接合し、開口部を密閉する水抜き栓とすることにより、使用者による抜き差しが行われる水抜き栓においても、結合を確実にすることができ、不慣れな使用者の作業であっても水漏れを防ぐことができる。
【００２６】
以下、本発明の実施の形態について、図面を参照しながら説明する。なお、本実施の形態によって本発明が限定されるものではない。
【００２７】
（実施の形態１）
図１は、本発明の実施の形態１におけるトイレ装置の斜視図を示す。図２は、図１に示すトイレ装置の連結部分の斜視図を示す。図３は、図２に示す連結部分のＡ−Ａ断面図である。
【００２８】
図１に示すように、トイレ装置は、洗浄装置本体（以下、本体と呼ぶ）１と洗浄部３と給水管５と連結管７とを有している。本体１は、便器２の上に横長に設けられている。洗浄部３は、人体の局部を温水または常温水で洗浄するために用いられる。給水管５は、配管用栓体８で水道配管４と本体１側に設けられた給水部９とを連結し、洗浄に使う水を水道配管４から洗浄部３へ給水する。連結管７は、給水管５の端部と給水部９とを水密に接合する。給水部９は、給水管５から供給された水道水を導入するための開口部９ｃを有している。そして、給水部９は、本体水路部（以下、水路と呼ぶ）６を介して洗浄部３に連絡されている。また、連結管７は、開口部９ｃを水密に密閉する配管用栓体である。本体１は、さらに、便座１３と便蓋１４とを有している。
【００２９】
また、図２に示すように、トイレ装置の配管用栓体部分は、給水部９と給水部９にねじ結合される連結管７とを有している。
【００３０】
そして、図３に示すように、連結管７は、給水部９の開口端部９ｂの内外に位置する内部材１１と外部材１２とを有している。内部材１１と外部材１２とはそれぞれ別々の部品で構成されている。そして、内部材１１に設けられたツメ部１５と外部材１２に設けられた孔部１６とが嵌め合わせられ、内部材１１と外部材１２とは軸方向に移動可能に組み立てられ、結合されている。
【００３１】
内部材１１、外部材１２と給水部９の給水部管体（以下、管体と呼ぶ）９ａとのそれぞれの対峙部分には、ねじが形成されている。そのため、連結管７と給水部９とは、二重のねじ結合によって接合されている。また、凍結防止用に、連結管７は、水路６や給水管５の水を抜くための水抜き栓としての機能も有している。そして、外部材１２の外表面には凹凸が形成され、グリップ２９が設けられている。
【００３２】
給水部９は、管体９ａの内面側に第一の雌ねじ（以下、ねじと呼ぶ）１７を有している。そして、管体９ａの外面側に第二の雄ねじ（以下、ねじと呼ぶ）１８を有している。
【００３３】
さらに、内部材１１は、ねじ１７にねじ結合する第一の雄ねじ（以下、ねじと呼ぶ）２０と第一のシール材（以下、シール材と呼ぶ）２３とを有している。外部材１２は、雄ねじ１８とねじ結合する第二の雌ねじ（以下、ねじと呼ぶ）１９を有している。そして、ねじ２０とねじ１７とによって、第一のねじ対（以下、ねじ対と呼ぶ）２１が構成され、ねじ１８とねじ１９とによって、第二のねじ対（以下、ねじ対と呼ぶ）２２が構成されている。第一、第二のねじ対２１、２２が同時にねじ結合されることにより、給水管５と給水部９との結合の確実性が高められている。また、内部材１１と外部材１２とが、軸方向に移動可能に接合されていることによって、２対のねじ対２１、２２のうち、片方のねじ対がねじ結合した後に他方のねじが遅れてねじ結合させることができる。
【００３４】
給水管５には給水管継手（以下、継手と呼ぶ）３０が設けられている。そして、給水管５と連結管７との接続は、継手３０を内部材１１と外部材１２との間に挟み込み、ツメ部１５と孔部１６を嵌め合わせることによって行われている。このことにより、非常に簡便な構成と方法とによって、給水管５と連結管７とが接合されている。
【００３５】
さらに、継手３０の外周には、第二のシール材（以下、シール材と呼ぶ）２４が設けられている。また、継手３０には、シール材２４を保持し、さらに、連結管７から給水管５が引き抜けないように保持する継手突起部（以下、突起部と呼ぶ）３０ａ、３０ｂが設けられている。
【００３６】
内部材１１と外部材１２とが結合される際に、突起部３０ａ、３０ｂを有する継手３０が、内部材１１と外部材１２とに挟み込まれる。給水管５に対して、連結管７から引き抜く方向に引き抜き力が加わった場合に、突起部３０ａが外部材１２に突き当たり、給水管５の引き抜きを防止する。また、給水管５に対して、連結管７へ押し込む方向に押し込み力が加わった場合に、突起部３０ｂが内部材１１に突き当たり、給水管５の押し込みを防止する。
【００３７】
シール材２３、２４は、材質が、アクリルニトリルブタジエンゴム（ＮＢＲ）、エチレンプロピレンゴム（ＥＰＤＭ）、スチレンブタジエンゴム（ＳＢＲ）等によるＯリングまたはパッキンである。シール材２３は、給水部９の内面と内部材１１の外面との間にできた隙間を水密に密閉し、隙間から水が漏れることを防止する。連結管７と給水部９との接続に対して、連結管７が外れる方向に給水部９内部の水道圧力が加わる。しかし、連結管７と給水部９との接続力をねじ対２１、２２の二重のねじ結合によって得られるため、接続が外れることはない。また、シール材２３により、連結管７と給水部９との密閉構造が得られている。そして、ねじ対２１、２２により、水道水圧に対抗する接合力が得られている。
【００３８】
また、シール材２４は、内部材１１の内面と継手３０の外面との間にできた隙間を水密に密閉し、隙間から水が漏れることを防止する。連結管７と給水管５との接続に対して、給水管５が外れる方向に給水管５内部と給水部９内部との水道圧力が加わる。しかし、突起部３０ａが外部材１２に突き当たり、連結管５が外れることはない。また、シール材２４により、連結管７と給水管５との密閉構造が得られている。
【００３９】
さらに、連結管７と給水管５との接続構造は、シール材２４と内部材１１内面とが摺動可能に保持されている。このことにより、連結管７と給水管５とは、回転方向に対して拘束されない。そして、外部材１２を回転して連結管７と給水部９とを連結する際に、内部材１１と給水管５との間で摺動し、給水管５が回転することなく接合される。給水管５が回転しないので、給水管５がよじれたり折れたりすることがない。したがって、作業性のよい信頼性の高い連結管７が実現される。
【００４０】
さらに、ねじ対２１、２２を構成するねじ１７、１８、１９、２０は、実質的に同一のねじピッチを有している。
【００４１】
また、図３に示すように、内部材１１と外部材１２との軸方向への移動距離ａは、ねじ１７、１８、１９、２０の１ピッチ分以上でかつ２ピッチ分以下である。このことにより、それぞれのねじ１７、１８、１９、２０のねじ山の切り始めの位置を揃える必要がない。つまり、連結管７を給水部９へ接合する際に、連結管７の回転角度が、最小０°から最大３６０°まで回転される間に、１ピッチから２ピッチ軸方向に移動する範囲で動く。このことにより、ねじ対２１、２２のねじ結合が容易に行われる。
【００４２】
以上のように構成されたトイレ装置について、以下その動作、作用について説明する。
【００４３】
まず、水道配管４からの水道元圧は、給水管５を通じて、給水部９に加わり、開口端部９ｂから連結管７を引き抜く力として作用する。ねじ対２１のねじ結合とねじ対２２のねじ結合とによる二重のねじ結合力が存在するので、連結管７は、引き抜かれることなく、給水部９と結合して保持される。
【００４４】
連結管７の製造工程において、ねじ１７、１８、１９、２０のねじ山が少ないなどの形状不完全な不良が発生した場合、ねじ山が破損することがある。さらに、経年的な水圧変動の影響によってねじ山が劣化して破損することもある。ねじ結合が二重に行われているので、いずれか一方のみのねじ結合が不完全になったとしても、他方のねじ結合が十分である限り、連結管７と給水部９とは結合され続ける。そして、連結管７と給水部９との接続が不完全にならず、水漏れなどは発生しない。
【００４５】
さらに、水道元圧のウォーターハンマー現象などで異常な高水圧が連結部７と給水部９との連結部分に加わったとしても、連結管７が簡単に外れることはない。
【００４６】
また、連結管７は、内部材１１と外部材１２との２部品で構成されている。このことによって、ねじ１７、１８、１９、２０は、それぞれ、内部材１１と外部材１２とに別々に成型加工で形成されればよい。このため、内部材１１と外部材１２とを成型加工する際の金型構造が簡単になり、加工が容易であると共に部品コストが低く抑えられる。
【００４７】
また、給水部９の先端のねじ１８のねじ始め位置には、ねじ山のないガイド２５が設けられている。ガイド２５の外径は、ねじ１８のねじ山の外径よりも小さく設定されている。ガイド２５は、ねじ対２１、２２がかみ合いを始める前に、管体９ａを外部材１２内に案内する。それにより、ねじ対２１、２２は、傾くことなくスムーズにねじ結合され、かみ合いを始める。
【００４８】
また、ねじ１８の終わり位置部分に、鍔状またはフランジ状の突起部２７が設けられている。ねじ対２２のねじ結合が十分に締結されるとき、外部材１２に設けられたドーム状の蓋突部２８が突起部２７に当たる。そして、メリハリ感を持ってねじ結合が完全に行われていることを知らせる。
【００４９】
また、連結管７の外周部は内部にねじ２０を有するため、軸方向にねじの有効長さ以上の長さが必要とされる。このため、グリップ２９は、指先だけでなく指全体、または手のひらで掴める大きさを有し、連結管７と給水部９との連結が容易である。さらに、グリップ２９が設けられていることにより、連結管７を給水部９から着脱する際にしっかりと握ることができ、回転させやすい。したがって、連結管７を回転させて、最後まで十分に締めることが容易であり、ねじの結合部分が満足に行われ、短い状態で使用されることが防止される。
【００５０】
このように、給水部９と連結管７とが、ねじ対２１、２２の二重のねじ結合により結合されるため、結合信頼性が高い。また、部品不良または締結作業の不十分さにより、中途半端なねじ結合がされた場合に、異常な高水圧が加わったとしてもねじ結合が外れることがない。その結果、水漏れすることが少なく、信頼性の高いトイレ装置が提供される。
【００５１】
なお、水道配管４から本体１へ水を供給する経路において、給水管５と給水部９とを連結する連結部は１箇所のみで十分である。そのため、一般のユーザーがトイレ装置の配管を行ったり、メンテナンス作業により接合部分を外したりする場合も、簡単かつ確実に作業が行える。また、製造工程における接合部分の検査確認なども１箇所でよいため、製造コストが抑えられる。
【００５２】
なお、移動距離ａは、ねじ対２１またはねじ対２２のねじピッチの１ピッチ分以上でかつ２ピッチ分以下とした。しかし、必ずしもこの範囲に限ることはない。移動距離ａの下限値は、ねじ対２１のねじ結合の噛み合い始まり位置とねじ対２２のねじ結合の噛み合い始まり位置のズレ角度とねじピッチとの積であるズレ距離である。ズレ距離以上に移動距離ａが設定されることにより、ねじ対２１とねじ対２２とが滑らかにねじ結合される。さらに、移動距離ａの上限値は、特に制限を受けない。しかし、移動距離ａが大きすぎる場合に、ねじ対２１、２２の両方が噛み合うまでの連結管７の回転回数が大きくなりすぎてしまい、非効率的である。したがって、移動距離ａの上限値が、ねじピッチの２ピッチ分以下であることにより、ねじ対２１、２２の一方が噛み合った後、連結管７の回転の角度が３６０度以下の回転で他方が噛み合う条件が整う。したがって、移動距離ａが、ねじ対２１またはねじ対２２のねじピッチの１ピッチ分以上でかつ２ピッチ分以下であることにより、ねじ対２１とねじ対２２とが滑らかに、かつ効率よくねじ結合される。
【００５３】
なお、連結管７は、内部材１１と外部材１２のそれぞれ別々の部品を組み合わせた構造とした。しかし、図４に示すように、内部材１１ａと外部材１２ａとを有した二重構成の一体物の連結管７ａとし、給水管５に継手突起部（以下、突起部とよぶ）３０ｃが設けられた構造としてもよい。この場合、連結管７ａを構成する内部材１１ａと外部材１２ａとがひとつの部品で構成されるため、部品の管理が容易で、製造管理コストが低減できる。さらに、給水管５に対して、連結管７へ押し込む方向に押し込み力が加わった場合に、突起部３０ｃが連結管７ａに突き当たり、給水管５の押し込みを防止する。
【００５４】
また、外部材１２の外表面には凹凸が形成され、グリップ２９が設けられた構造とした。しかし、図５に示すように、外部材１２ｂの外表面は凹凸のない、滑らかな外表面とした連結管７ｂとしてもよい。この場合、連結管７ｂの表面は滑りやすくなるが、連結管７ｂの加工が容易となるため、製造コストが低減される。
【００５５】
なお、本体１は、便座２４と便蓋２５とを有している構成について説明したが、必ずしも、便座２４と便蓋２５とは必要ではない。便座２４が設けられると、トイレ装置の利用者が清潔にトイレ装置を利用できるという効果が得られる。また、便蓋２５が設けられると、便器２中の悪臭が封じ込められ、トイレ装置が設けられたトイレ空間（図示せず）内に、においのない清潔な環境が実現される。
【００５６】
（実施の形態２）
図６は、本発明の実施の形態２におけるトイレ装置の配管用栓体部分の斜視図を示す。図７は、図６に示す配管用栓体部分のＢ−Ｂ断面図である。図８は、図６に示す配管用栓体の斜視図を示す。
【００５７】
実施の形態２におけるトイレ装置は、実施の形態１と同じ構成要素には同じ符号を付し、詳細な説明は省略する。
【００５８】
図６に示すように、給水部９はＬ字水路４０を有し、本体１後方から下方の方向（図６の矢印Ｃの範囲）から、配管用栓体である連結管７ｃを介して給水管５が給水部９へ接合されている。
【００５９】
また、図７に示すように、フィルター４１が連結管７ｃの内部に設けられている。そして、フィルター部４１は、連結管７ｃから着脱可能に保持されている（図示せず）。
【００６０】
Ｌ字水路４０を有することによって、本体１の後方から下方にかけて、給水管５の取り付け方向が自由に選択可能である。これにより、狭いトイレ空間内部において、給水管５または水道配管４等の給水配管の配置の自由度が高まる。そして、トイレ空間を効率よく利用することができ、邪魔にならない位置に給水配管を設置することが可能である。
【００６１】
さらに、連結管７ｃと給水部９との接続部分に二重のねじ結合を有するため、ねじ１７、１８、１９、２０を形成するための寸法が必要である。このため、グリップ２９が軸方向に長くなり、本体１からの出張り寸法が大きい。そして、見映えが悪くなる。
【００６２】
また、給水管５が本体１の側面から接続される構造では、狭いトイレ空間内部において給水配管の取り回しが邪魔になることが多い。しかし、本体１の後方から下方にかけて、給水管５の取り付け方向を自由に選択可能であるため、トイレ空間内部の有効的な利用が可能となる。その結果、給水配管が邪魔になることがない。このことは、幅の狭いトイレ空間にあっては、顕著な効果として現れる。
【００６３】
また、洗浄部３へ供給される洗浄用の水道水の中には、塵または異物等が含まれている。これらの塵または異物等がフィルター４１によって濾過されることにより、塵、異物の含まれない水を利用した、より清潔な洗浄が可能である。その結果、トイレ装置の利用者に不快感を与えない。
【００６４】
また、水路６の内部の洗浄部３などへの塵、異物等の侵入が防止され、本体１内部の水回路中に設けられている複数の弁部（図示せず）の故障が未然に防がれる。
【００６５】
また、図８に示すように、連結管７ｃと給水部９との接合が取り外されて、フィルター４１の掃除が可能である。このため、フィルター４１のメンテナンスが容易である。
【００６６】
さらに、フィルター４１は、連結管７ｃから着脱可能に保持されているため、フィルター４１を連結管７ｃから取り外して掃除でき、メンテナンス性が高い。たとえば、フィルター４１が連結管７ｃから着脱不可能であっても、トイレ空間内でフィルター４１の洗浄は可能である。しかし、フィルター４１を洗浄するための洗浄設備が、トイレ空間内に必要である。連結管７ｃが水道配管４から分岐された給水管５と結合された構造体であるため、フィルター４１をトイレ空間の外部へ移動させることは難しい。
【００６７】
しかしながら、フィルター４１は、連結管７ｃから着脱可能に保持されているため、連結管７ｃからフィルター４１のみを分離して、トイレ空間外の別の場所でフィルター４１の清掃を行うことが可能である。さらに、フィルター４１の清掃後に、フィルター４１は再び連結管７ｃに装着される。そして、連結管７ｃと給水管５とは、二重のねじ結合で接続されるため、極めてメンテナンス性の高いトイレ装置が実現される。
【００６８】
なお、フィルター４１は、連結管７ｃに着脱可能に保持したが、必ずしも着脱可能である必要はない。たとえば、連結管７ｃと給水管５とを着脱可能な構成とすることによって、フィルター４１は連結管７ｃに装着したままで、トイレ空間の外部へ持ち出すことが可能である。
【００６９】
（実施の形態３）
図９は、本発明の実施の形態３におけるトイレ装置の配管用栓体部分の斜視図を示す。図１０〜図１６は、図９に示す配管用栓体部分の断面図を示す。図１７は、図９に示す配管用栓体の正面図である。
【００７０】
実施の形態３におけるトイレ装置は、実施の形態１、２と同じ構成要素には同じ符号を付し、詳細な説明は省略する。
【００７１】
実施の形態３では、配管用栓体は、凍結防止用に配管の水を抜くための水抜き栓４５として用いられている。
【００７２】
図１０に示すように、水抜き栓４５は、給水部９の水を抜くために、給水部９に設けられた開口部９ｃを密閉するように、給水部９に水密に接合されている。水抜き栓４５は、給水部９の開口端部９ｂの内外に位置する水抜き栓用内部材（以下、内部材と呼ぶ）４６と水抜き栓用外部材（以下、外部材と呼ぶ）４７とを有している。内部材４６と外部材４７との結合構造は、上述の内部材１１と外部材１２との結合構造と同様であるので、詳細な説明は省略する。
【００７３】
また、水抜き栓４５と給水部９とは、第一のねじ対２１と第二のねじ対２２による二重のねじ結合によって接合されている。
【００７４】
また、図１１に示すように、給水部９と水抜き栓４５とのねじ結合の噛み合い始まり位置は、第一のねじ対２１のねじ結合と第二のねじ対２２のねじ結合とが同位置で始まる構成である。すると、同時に２箇所のねじの噛み合いが始まるため、ねじ結合の感触に違和感がない。さらに、二重にねじ結合がされるため、ねじ結合部の信頼性が向上する。
【００７５】
また、図１５に示すように、給水部９と水抜き栓４５とのねじ結合の噛み合い始まり位置は、第一のねじ対２１のねじ結合が、第二のねじ対２２のねじ結合よりも先に行われてもよい。この場合、２つのねじ対２１、２２のねじ結合の噛み合い始まり位置、つまりそれぞれのねじ１７、１８、１９、２０のねじ山の開始位置が全く同一でなくても、二重にねじ結合が成される。また、第二のねじ対２２のねじ結合がなくても、水抜き栓４５が給水部９から外れることがなく、水漏れが防止される。なお、この場合、ねじ対２１とねじ対２２とのねじ結合の噛み合い始まり位置のずれ量は、内部材４６と外部材４７との軸方向の移動距離ａよりも小さく設定されている。
【００７６】
なお、逆に、図１６に示すように、給水部９と水抜き栓４５とのねじ結合の噛み合い始まり位置は、第二のねじ対２２のねじ結合が、第一のねじ対２１のねじ結合よりも先に行われてもよい。この場合、逆に、第一のねじ対２１のねじ結合がなくても、水抜き栓４５が給水部９から外れることがなく、水漏れが防止される。なお、この場合、ねじ対２１とねじ対２２とのねじ結合の噛み合い始まり位置のずれ量は、内部材４６と外部材４７との軸方向の移動距離ａよりも  小さく設定されている。
【００７７】
ここで、水抜き栓４５と給水部９との接合の脱着方法について、図１０〜図１２を用いて説明する。
【００７８】
図１０は、水抜き栓４５と給水部９とが接合された状態を示す断面図である。図１１は、水抜き栓４５と給水部９との二重のねじ結合を開放し、接合を解除した状態を示す断面図である。図１２は、水抜き栓４５を完全に給水部９から開放された状態を示す断面図である。
【００７９】
内部材４６と外部材４７とを組み立て、結合した状態の水抜き栓４５を用意する。水抜き栓４５を給水部９に対して（図１２の矢印Ｅ方向）押し込むことにより、ねじ対２１またはねじ対２２のいずれかが噛み合う位置まで押し込まれる（図１１の状態）。さらに、水抜き栓４５をねじ対２１、２２が噛み合う方向へ回転することによって、ねじ対２１、２２が徐々に噛み合い始める。そして、二重のねじ結合によって、水抜き栓４５と給水部９とが水密に接合され、開口部９ｃが密閉される状態へ至る（図１０の状態）。
【００８０】
また、ねじ対２１またはねじ対２２が噛み合うまでに、ガイド２５によって、水抜き栓４５が給水部９へ案内されるため、ねじ対２１、２２の噛み合いは滑らかに行われる。
【００８１】
さらに、内部材４６と外部材４７との組み立てについて、図１３と図１４とを用いて説明する。
【００８２】
内部材４６の端面には複数のつめ部１５が設けられている。また、外部材４７には、つめ部１５が係合するための孔部１６が設けられている。内部材４６が外部材４７方向へ押圧されて、内部材４６が外部材４７と組み立てられる（図１３の矢印Ｆ方向）。このとき、つめ部１５が弾性変形されて、孔部１６へ挿入される。つめ部１５の挿入後に、つめ部１５の変形が復元することにより、つめ部１５先端の係り部１５ａが孔部１６に係合される。このことにより、内部材４６と外部材４７とは単純な構成で結合され、組み立てられる。内部材４６と外部材４７とは、軸方向には移動可能であるが、係り部１５ａが孔部１６に係合され外れることはない。さらに、給水部９と水抜き栓４５とのねじ結合のための回転時には、つめ部１５が孔部１６に引っかかり、外部材４７の回転に伴って、内部材４６も回転する。このことによって、ねじ対２１、２２のねじ結合が容易になされる。
【００８３】
また、図９と図１７とに示すように、内部材４６の内側には強度向上用の２本のリブ２６が設けられている。リブ２６は、内部材４６の機械的な強度を高める。また、給水部９と水抜き栓４５とのねじ結合が強固に結合されることにより、ねじ結合が外れにくい時に、工具またはコインなどをリブ２６に差し込み、水抜き栓４５に回転力を与えることができる。その結果、給水部９と水抜き栓４５とのねじ結合が容易に解除される。また、リブ２６は外部材４７側に設けられていても、同様の効果が得られる。
【００８４】
（実施の形態４）
図１８は、本発明の実施の形態４におけるトイレ装置の斜視図を示す。図１９と図２０とは、図１８に示すトイレ装置の配管用栓体部分の断面図である。
【００８５】
実施の形態４におけるトイレ装置は、実施の形態１、２、３と同じ構成要素には同じ符号を付し、詳細な説明は省略する。
【００８６】
図１８、図１９に示すように、給水管５と水路６との間に、水抜き栓４５と連結管７と給水部９とを有している。給水部９は、二方向に開口部９ｃを有する、Ｔ字形状のＴ字水路４２から構成されている。
【００８７】
連結管７は、内部材１１と外部材１２とが分離された別々の部品で構成されている。また、連結管７とＴ字水路４２との結合構造は、上述の連結管７と給水部９との接合構造と同様に、第一のねじ対２１と第二のねじ対２２とを有した二重のねじ結合の構造を有している。
【００８８】
また、水抜き栓４５は、水路６または給水管５の水を抜くために、Ｔ字水路４２に設けられた開口部９ｃを水密に密閉するように、Ｔ字水路４２に接合されている。さらに、水抜き栓４５とＴ字水路４２との結合構造は、上述の水抜き栓４５と給水部９との接合構造と同様に、第一のねじ対２１と第二のねじ対２２とを有した二重のねじ結合の構造を有している。
【００８９】
このような構成により、簡単な構成で水抜き栓４５と連結管７とを構成できると共に、ねじ対２１、２２を構成するねじの製造上の不良があったとしても、信頼性の高い二重のねじ結合が実現される。したがって、連結部分からの水漏れを防止できる。
【００９０】
また、フィルター４１は、水抜き栓４５に保持されている。したがって、水抜き栓４５をＴ字水路４２から取り外すことにより、水抜き栓４５にフィルター４１を取り付けたまま、トイレ空間の外部へ持ち出すことができる。したがって、フィルター４１の洗浄のメンテナンス性が高い。なお、フィルター４１は、水抜き栓４５に対して着脱可能に保持されても良い。フィルター４１が水抜き栓４５から着脱可能に保持された場合、フィルター４１の洗浄性が高まるので、メンテナンス性はより高い。
【００９１】
なお、Ｔ字水路４２に接合する連結管７は、内部材１１と外部材１２が分離された別々の部品を用いた構造としている。しかし、図２０に示すように、内部材１１ａと外部材１２ａとが一体構造である連結管７ａを用いることもできる。
【産業上の利用可能性】
【００９２】
以上のように、本発明にかかるトイレ装置は、部品不良または異常な高水圧などの悪条件下においても水漏れの発生を少なくすることが可能となる。
【図面の簡単な説明】
【００９３】
【図１】本発明の実施の形態１におけるトイレ装置の斜視図
【図２】図１に示すトイレ装置の配管用栓体付近を示す斜視図
【図３】図２のＡ−Ａ線による配管用栓体部分の断面図
【図４】図１に示すトイレ装置の配管用栓体部分の別の態様を示す断面図
【図５】図１に示すトイレ装置の配管用栓体部分の別の態様を示す斜視図
【図６】本発明の実施の形態２におけるトイレ装置の配管用栓体付近を示す図
【図７】図６のＢ−Ｂ線による配管用栓体部分の断面図
【図８】図６に示す配管用栓体の斜視図
【図９】本発明の実施の形態３におけるトイレ装置の配管用栓体付近の斜視図
【図１０】図９のＤ−Ｄ線による配管用栓体部分の断面図
【図１１】図９のＤ−Ｄ線による配管用栓体部分の一部分解断面図
【図１２】図９のＤ−Ｄ線による配管用栓体部分の一部分解断面図
【図１３】図９のＤ−Ｄ線による配管用栓体部分の一部分解断面図
【図１４】図９のＤ−Ｄ線による配管用栓体部分の一部分解断面図
【図１５】図９に示すトイレ装置の配管用栓体部分の別の態様を示す断面図
【図１６】図９に示すトイレ装置の配管用栓体部分の別の態様を示す断面図
【図１７】図９に示すトイレ装置の配管用栓体の正面図
【図１８】本発明の実施の形態４におけるトイレ装置の斜視図
【図１９】図１８に示すトイレ装置の配管用栓体部分の断面図
【図２０】図１８に示すトイレ装置の配管用栓体部分の別の態様を示す断面図
【符号の説明】
【００９４】
１  (洗浄装置)本体
２  便器
３  洗浄部
４  水道配管
５  給水管
７、７ａ  連結管
８  配管用栓体
９  給水部
９ｂ  開口端部
９ｃ  開口部
１１、１１ａ  内部材
１２、１２ａ  外部材
１５  つめ部
１６  孔部
１７  第一の雌ねじ
１８  第二の雄ねじ
１９  第二の雌ねじ
２０  第一の雄ねじ
２１  第一のねじ対
２２  第二のねじ対
２３  第一のシール材
２４  第二のシール材
２７  突起部
２９  グリップ
４０  Ｌ字水路
４１  フィルター
４５  水抜き栓
【図１】
2006022637.tif 000003
【図２】
2006022637.tif 000004
【図３】
2006022637.tif 000005
【図４】
2006022637.tif 000006
【図５】
2006022637.tif 000007
【図６】
2006022637.tif 000008
【図７】
2006022637.tif 000009
【図８】
2006022637.tif 000010
【図９】
2006022637.tif 000011
【図１０】
2006022637.tif 000012
【図１１】
2006022637.tif 000013
【図１２】
2006022637.tif 000014
【図１３】
2006022637.tif 000015
【図１４】
2006022637.tif 000016
【図１５】
2006022637.tif 000017
【図１６】
2006022637.tif 000018
【図１７】
2006022637.tif 000019
【図１８】
2006022637.tif 000020
【図１９】
2006022637.tif 000021
【図２０】
2006022637.tif 000022